(57)【要約】  クッションケース４は、ポケット１４を有する第１部分８と、第２部分１０と、第３部分１２と、第１および第２部分８、１０と第２部分および第３部分１０、１２とをそれぞれ可動的に接続するヒンジ部２０、２２とを有する。クッションケース４は、第１、第２および第３部分８、１０、１２がヒンジ部２０、２２について実質的に折り畳まれない第１形態から、第１、第２および第３部分８、１０、１２がポケット１４によって、第１、第２および第３部分８、１０、１２が重なり合い組み合った状態で保持されるように、第２および第３部分１０、１２が少なくとも一部においてポケット１４内に挿入される第２形態に変形可能である。【選択図】図１
2013525051.tif 000002
【特許請求の範囲】
【請求項１】
ポケットを有する第１部分と、
第２部分と、
前記第１部分および前記第２部分を可動的に接続するヒンジ部と、
を有し、
前記第１部分と前記第２部分とがヒンジ部について実質的に折り畳まれていない第１形態から、前記第２部分が少なくとも一部において前記ポケットに挿入され、前記第１部分および前記第２部分が重なり組み合った状態で前記ポケットに保持される第２形態に変形可能であるクッションケース。
【請求項２】
自身が伸延した伸延形状に形成され、
前記ヒンジ部の両側に前記第１および前記第２部分が定義するために、前記伸延形状の幅を横切って前記ヒンジ部が伸延する請求項１記載のクッションケース。
【請求項３】
外縁において結合される２つのパネルを有する請求項１または請求項２に記載のクッションケース。
【請求項４】
前記第１部分および前記第２部分は、実質的に同じ幅および実質的に同じ長さを有する請求項１〜３のいずれか一項に記載のクッションケース。
【請求項５】
前記ポケットは、前記伸延形状の幅を横切って伸延するパネルによって形成され、前記伸延形状の外縁に固定される請求項２〜４のいずれか一項に記載のクッションケース。
【請求項６】
前記ヒンジ部は、前記第１部分および前記第２部分を区分けする幅を有する請求項２〜５のいずれか一項に記載のクッションケース。
【請求項７】
前記ヒンジ部の幅は、前記第１部分および前記第２部分の詰まった厚みよりも小さくない請求項６に記載のクッションケース。
【請求項８】
前記伸延形状の長さ方向に互いに離間する２つの平行な閉じ目の間に、前記ヒンジ部が設けられる請求項６または７に記載のクッションケース。
【請求項９】
前記第１部分、前記第２部分および前記外部ポケットは、１枚のシート素材から形成される請求項１〜８のいずれか一項に記載のクッションケース。
【請求項１０】
第３部分と、
前記第２部分と前記第３部分とを可動的に接続する第２ヒンジ部と、
をさらに有し、
前記第１形態において、前記第２部分は、前記第１部分および前記第３部分と間に配置され、前記第２形態において、前記第１部分、前記第２部分および前記第３部分がポケットによって重なり組み合った状態で保持されるように、前記第２部分および前記第３部分は、少なくとも一部において前記ポケットに挿入される請求項１〜９のいずれか一項に記載のクッションケース。
【請求項１１】
前記第２部分および前記第３部分の少なくとも一つは、第２ポケットが設けられ、前記第２形態の場合、前記第２ポケットは、前記第１部材および前記第２部材の間に位置する請求項１０に記載のクッションケース。
【請求項１２】
前記第２ポケットは、前記第２部分上に設けられる請求項１１に記載のクッションケース。
【請求項１３】
前記第２ポケットは、前記第３部分上に設けられ、前記第２部分に向かって内方に開口している請求項１１に記載のクッションケース。
【請求項１４】
前記第２ポケットは、アロマセラピーの小袋を収容するのに適している請求項１１〜１３のいずれか一項に記載のクッションケース。
【請求項１５】
図面を参照して実質的に記載されるクッションケース。
【請求項１６】
請求項１〜１５のいずれか一項に記載のクッションケースを有するクッションであって、
充填剤が前記第１部分および前記第２部分内に詰められたクッション。
【請求項１７】
充填剤は、ウールを含む請求項１６に記載のクッション。
【請求項１８】
図面を参照して実質的に記載されるクッション。
【発明の詳細な説明】
【技術分野】
【０００１】
本発明は、クッションケースおよびクッションに関する。
【背景技術】
【０００２】
枕のようなクッションは、様々な環境において心地よさとサポートを提供するために使用される。それらを使用するということは、時間と共に汚れることを意味する。したがって、定期的な清掃のために取り外し可能なカバーを使用することが一般的である。
【発明の概要】
【発明が解決しようとする課題】
【０００３】
しかし、カバーは、埃やイエダニのようなアレルギー誘発物質（アレルゲン）が枕内に溜まっていくのを防止するものではない。したがって、アレルギー患者は、定期的に、枕を清掃したり、枕自体を取り換えたりしなくてはならない。枕は、かさばるものである。したがって、清掃プロセスを効果的にするのを保証するのは難しい。加えて、枕を洗濯する際、それらのかさばりは、枕を乾燥するのに多大な時間がかかることを意味する。
【課題を解決するための手段】
【０００４】
本発明の第１の側面は、（外部の）ポケットを有する第１部分と、第２部分と、第１部分と第２部分とを可動的に接続するヒンジ部と、を有し、第１部分と第２部分とがヒンジ部について実質的に折り畳まれていない第１形態から、第２部分が少なくとも一部においてポケットに挿入され、第１部分および第２部分がポケットによって重なり組み合った状態で保持される第２形態に変形可能なクッションケースを提供することである。
【０００５】
クッションケースは、伸延した形状であり、クッションケースの幅を横切って前記ヒンジ部が伸延し、ヒンジ部の両側に第１および第２部分が定義される。
【０００６】
クッションケースは、相互に外縁が結合された２つのパネルを含みうる。２つのパネルは同一の幅および長さを有する。
【０００７】
第１部分および第２部分は、実質的に同じ幅および実質的に同じ長さを有する。
【０００８】
ポケットは、クッションケースの幅を横切って延びるパネルによって形成されうる。ポケットは、クッションケースの外縁に固定される。
【０００９】
ヒンジ部は、第１および第２部分を区分する幅を有する。
【００１０】
ヒンジ部の幅は、第１部分および第２部分が一杯に詰まった状態の厚みよりも小さい。
【００１１】
ヒンジ部は、クッションケースの長さ方向に互いに離間された２つの平行な閉じ目（縫い目）の間に設けられる。
【００１２】
第１部分、第２部分および外部ポケットは、一枚の素材から形成される。
【００１３】
クッションケースは、第３部分と、前記第２部分と前記第３部分とを可動的に接続する第２ヒンジ部と、をさらに有し、第１形態において、第２部分は、第１部分および第３部分と間に配置され、第２形態において、第１部分、第２部分および第３部分が重なり組み合った状態でポケットに保持されるように、第２および第３部分は、少なくとも一部において前記ポケットに挿入される。
【００１４】
第２ヒンジ部は、第１部分および第２部分を可動的に接続するヒンジ部の機構または組み合わせを含む構成を有する。
【００１５】
第１部分、第２部分（および第３部分）の少なくとも一つの前記部分は、第２ポケットが設けられ、クッションケースが第２形態の場合、第２ポケットは、第１部材および第２部材の間に配置される。
【００１６】
前記第２ポケットは、前記第２部分に設けられる。
【００１７】
前記第２ポケットは、前記第３部分上に設けられ、前記第２部分の内方に向かって開口する。
【００１８】
前記ポケットは、アロマセラピーの匂い袋の収納に適している。
【００１９】
本発明の第２の側面は、本発明の第１の側面のクッションケースを有するクッションであり、前記第１部分および前記第２部分内には充填剤が詰められる。充填剤はウールを含む。
【図面の簡単な説明】
【００２０】
【図１】クッションの平面図である。
【図２】図１のクッションの断面図である。
【図３】第１形態のクッションの斜視図である。
【図４】図３のクッションの他の斜視図である。
【図５】図３のクッションが第１形態および第２形態間で変形する様子を示す斜視図である。
【図６】第２形態の図３のクッションの斜視図である。
【図７】第２形態の図３のクッションの斜視図である。
【発明を実施するための形態】
【００２１】
本願発明をより理解するため、およびどのように効果を得るかをより明確に示すために、図面と共に実施形態を参照する。
【００２２】
図１および図２は、クッション２（本例では、枕）を示し、クッション２は、クッションケース４と、その中に設けられる充填剤６とを有する。クッションケース４は、３つの部分、すなわち、第１部分８、第２部分１０、第３部分１２を有する。第１部分８は、外部ポケット１４が設けられている。
【００２３】
クッションケース４は、実質的に同一の上面パネル１６および底面パネル１８を有し、上面パネル１６および底面パネル１８は、外縁において互いに縫いつけられる等して留められている。上面パネル１６および底面パネル１８は矩形である。クッションケース４は、その長さに沿って、２つのヒンジ部２０、２２により３つの部分８、１０、１２に分割されている。２つのヒンジ部２０、２２は、クッションケース４の幅方向に亘って伸延する。ヒンジ部２０、２２は、クッションケース４の端部から、また相互に、均等に間隔を開けて設けられる。したがって、第１部分８、第２部分１０、第３部分１２は、同じサイズである。第１〜第３部分８、１０、１２は、クッションケース４の長手方向に測定した幅が５０ｃｍ、クッションケース４の幅方向に測定した長さが７５ｃｍである。各ヒンジ部２０、２２は、第１閉じ目２４および第２閉じ目２６の間に定義される。閉じ目２４、２６は、各ヒンジ部２０、２２の長さに沿って２枚のパネルの素材を固定し、たとえば、縫い目である。第１および第２閉じ目２４、２６は、平行であり、クッションケース４の長手方向に離間して設けられる。ヒンジ部２０、２２の幅は、隣り合う部分８、１０、１２が、ヒンジ部２０、２２の周辺で互いに過大な衝突をすることなく、各ヒンジ部２０、２２の周りで部分８、１０、１２が相互に畳めるように決められている。上記の実施形態では、ヒンジ部２０、２２は、１〜５ｃｍの間の幅を有する。
【００２４】
各部分８、１０、１２は、充填剤６を含む。充填剤は、たとえばウールである。充填剤６は、詰まった厚みを有するクッション部材を形成するように、上面および底面パネル１６、１８を相互に離す。詰まった厚みは、部分８、１０、１２の長さおよび幅、および各部分８、１０、１２内の充填剤量により決定される。部分８、１０、１２の厚みは、実質的に同じである。充填剤６は、ヒンジ部２０、２２が閉じ目２４、２６によって、各ヒンジ部２０、２２の両側に入り込むのを防止する。ヒンジ部２０、２２内に充填剤６がないことは、ヒンジ部２０、２２が詰まった部分８、１０、１２よりも高い柔軟性を維持できることを意味する。
【００２５】
第１部分８上の外部ポケット１４は、第１部分８と実質的に同じ幅および長さを有するポケットパネル２８を有する。ポケットパネル２８は、クッションケース４と同じ布から形成される。ポケットパネル２８は、第１部分８の外縁に、３つの辺が縫いつけ等により固定される。ポケットパネル２８および上面パネル１６は、第１および第２部分８、１０の間でポケット１４の開口がヒンジ部２０の長手方向に沿って伸延するように、ポケットを規定する。したがって、外部ポケット１４は、第１部分８から第２および第３部分１０、１２に向かって内側方向に向かって開口する。
【００２６】
第３部分１２には、第２ポケット３０が設けられる。第２ポケットは、第２ポケットパネル３２を有する。第２ポケットは、縫いつけ等によって、第３部分１２を形成する上面パネル１６の一部に固定される。第２ポケット３０は、第３部分１２の外縁に隣接して配置される。第２ポケット３０は、第３部分の中央の１／３を占め、外縁から第２部分１０に向かって、第３部分１２を約半分横切って延びる。したがって、第２ポケット３０は、第３部分１２の約１／６延びる。したがって、ポケットパネル３２および上面パネル１６は、ポケット３０が第１部分８および第２部分１０に向かって内側の方向に開口するように、ポケット３０を規定する。第２ポケット３０の大きさは、アロマセラピーの小袋または他の似たようなパッケージを収容するのに適した大きさである。
【００２７】
図３は、図１に示すものに似たクッション２を示すが、外部の第２ポケットを有していない。図示されるクッション２は、第１、第２および第３部分８、１０、１２がヒンジ部２０、２２の周りで折り畳まれておらず、実質的にフラットな第１形態の状態である。
【００２８】
図４は、外部ポケット１４が開口された状態の図１に示すクッション２を示す図である。
【００２９】
図５は、図１および図２に示されるクッションにおいて、第２および第３部分１０、１２が折り重ねられ、外部ポケット１４内に押し込まれる様子を示す。閉じ目２４、２６は、部分８、１０、１２間で充填剤が移動することを防止し、ヒンジ部２０、２２の幅は、隣り合う部分（たとえば、第１および第２部分８、１０または第２および第３部分１０、１２）がヒンジ部２０、２２の周辺で相互に衝突せずに折り重なれるようにする。これにより、クッション２は、充填剤の不均一な圧縮がなく、第２形態に折り畳まれることができる。
【００３０】
図６および図７は、第２形態のクッション２を示し、第１、第２および第３部分８、１０、１２は折り重ねられ、第２および第３部分１０、１２は外部ポケット１４内に挿入されている。この形態では、第１、第２および第３部分８、１０、１２の厚みの合計となる厚みを有する集合クッション２を形成するように、第１、第２および第３部分８、１０、１２は、組み合わされている。第２形態において、クッションの厚みが増加するように、さらに別の部分を追加可能であることが好ましい。
【００３１】
第２形態の際に、クッション２は、安らぎと支えを提供するのに十分な厚みを有する従来のクッションのように使用できる。クッション２は、洗濯のために第１形態に戻ることができる。この形態により厚みが減ったクッション２は、クッションの洗濯と乾燥の効率を向上する。
【００３２】
図１に示す実施形態は、図２〜５に示す実施形態と同様に構成されることができる。しかし、クッション２が第２形態に変形される前に、第２ポケット内にアロマセラピーの小袋または治療剤を入れてもよい。クッション２が第２形態の際、小袋は部分８、１０、１２によって提供される隣り合う層の間に位置する。したがって、アロマは、クッション２から取り出されるまでは、層によって分散される。これは、クッション２を使用する個人によって吸い込まれるアロマの濃度を低減する。あるいは、小袋は図２〜５に示す実施形態の部分８、１０、１２によって形成される層の間に入れられることができる。
【００３３】
クッション２を第２形態にする際に、第２および第３部分１０、１２が、ヒンジ部２２について反対方向に折り畳まれることが好ましい。
【００３４】
第２ポケット３０は、第２部分１０または第３部分１２の上面パネル１６または底面パネル１８上に、あるいは、第１部分の上層に設けられることが好ましい。
【００３５】
ポケット１４、３０の一方または両方は、部分８、１０、１２に固定される分離したポケットとして形成されてもよい。ポケット１４、３０の一方または両方は、取り外し可能である。
【００３６】
部分８、１０、１２は、箱型部分であってもよい。各閉じ目２４、２６は、上面パネルおよび底面パネルの間に箱形部分を定義する２つの織物（Ｗｅｂ）を有してもよい。
【００３７】
布は、綿、ポリエステル、絹、亜麻布またはそれらのいかなる組み合わせ、または枕に適したいかなる織物であってもよい。充填剤は、ポリエステル、綿毛、羽毛、シルクまたはそれらのいかなる組み合わせ、または、クッション／枕に適したいかなる詰め物であってもよい。
【００３８】
各部分は、他の形状およびサイズであってもよい。たとえば、各部分は、三角形、または他のタイプの多角形、あるいは曲線の端を持っていてもよい。
【符号の説明】
【００３９】
２  クッション、
４  クッションケース、
６  充填剤、
８  第１部分、
１０  第２部分、
１２  第３部分、
１４  ポケット（外部ポケット）、
１６  上面パネル、
１８  底面パネル、
２０、２２  ヒンジ部、
２４、２６  閉じ目、
２８  ポケットパネル、
３０  第２ポケット、
３２  第２ポケットパネル。
【図１】
2013525051.tif 000003
【図２】
2013525051.tif 000004
【図３】
2013525051.tif 000005
【図４】
2013525051.tif 000006
【図５】
2013525051.tif 000007
【図６】
2013525051.tif 000008
【図７】
2013525051.tif 000009
【国際調査報告】
2013525051.tif 000010
2013525051.tif 000011
2013525051.tif 000012
2013525051.tif 000013
2013525051.tif 000014